(57)【要約】      （修正有）【課題】熱源機器の当日の使用量を簡単に把握できるようにして、当日の消費行動を抑制する契機となり得るようにする。【解決手段】熱源機器の湯、燃料または電力いずれかの使用量を記憶し、記憶している使用量データを表示するリモートコントローラにおいて、このリモートコントロは、使用量データ表示キーを有し、この使用量データ表示キーの操作があると、当日と前日の使用量データのダイジェスト画面５０を表示すると共に、詳細表示指示手段５６を有効に機能させ、詳細表示指示がされると、使用量データの詳細画面５７を表示するようにした。【選択図】図２
2014142149.tif 000002
【特許請求の範囲】
【請求項１】
熱源機器の湯、燃料または電力いずれかの使用量を記憶し、記憶している使用量データを表示するリモートコントローラにおいて、このリモートコントローラは、操作キーと、使用量データ表示キーを有し、この使用量データ表示キーの操作があると、当日と前日の使用量データのダイジェスト画面を表示すると共に、詳細表示指示手段を有効に機能させ、詳細表示指示がされると、使用量データの詳細画面を表示するようにしたことを特徴とする熱源機器用リモートコントローラ。
【請求項２】
前記使用量データのダイジェスト画面は、前日一日の使用量と、前日と当日の現在時刻までの使用量とを表示することを特徴とする請求項１記載の熱源機器用リモートコントローラ。
【請求項３】
前記使用量データの詳細画面は、前記操作キーで切り替えられる複数の画面で構成され、各画面にはそれぞれ集計期間単位の異なる使用量データがグラフ表示されることを特徴とする請求項２記載の熱源機器用リモートコントローラ。
【発明の詳細な説明】
【技術分野】
【０００１】
熱源機器の湯、燃料または電力いずれかの使用量データを表示して、見える化による省エネ、省資源を促進するリモートコントローラに関するものである。
【背景技術】
【０００２】
従来よりこの種の熱源機器の湯、燃料または電力いずれかの使用量を記憶し、記憶している使用量データを表示するリモートコントローラにおいては、特許文献１のように、使用量データ表示キーを有し、この使用量データ表示キーの操作があると、前日の使用量データ画面を表示すると共に、各種詳細表示への選択肢を表示させ、詳細表示が選択されて表示指示がされると、使用量データの詳細画面を表示するようにしたものがあった。
【先行技術文献】
【特許文献】
【０００３】
【特許文献１】特開２０１２−１７８７０１号公報
【発明の概要】
【発明が解決しようとする課題】
【０００４】
しかし、この従来のものでは、使用量データ表示キーが操作されて最初に表示されるのが前日の使用量データであって、当日の使用状況は各種詳細表示の一つとして複数回の操作を経て表示されるため手間が掛かり、当日の使用状況が簡単に把握できず、当日の消費行動を抑制する契機となり難いものであった。
【課題を解決するための手段】
【０００５】
本発明は上記課題を解決するために、熱源機器の湯、燃料または電力いずれかの使用量を記憶し、記憶している使用量データを表示するリモートコントローラにおいて、このリモートコントローラは、操作キーと、使用量データ表示キーを有し、この使用量データ表示キーの操作があると、当日と前日の使用量データのダイジェスト画面を表示すると共に、詳細表示指示手段を有効に機能させ、詳細表示指示がされると、使用量データの詳細画面を表示するようにした。
【０００６】
また、前記使用量データのダイジェスト画面は、前日一日の使用量と、前日と当日の現在時刻までの使用量とを表示するようにした。
【０００７】
また、前記使用量データの詳細画面は、前記操作キーで切り替えられる複数の画面で構成され、各画面にはそれぞれ集計期間単位の異なる使用量データがグラフ表示されるようにした。
【発明の効果】
【０００８】
本発明の請求項１によれば、最初に当日と前日の使用量データをシンプルに要約したダイジェストが表示されるので、使用量の状況が容易に確認できて、当日の使用量抑制を促すことができるものであると共に、詳細な使用量データが見たい場合は、詳細表示指示手段の操作を行うことで表示され、見える化による省エネ、省資源を促進できる。
【０００９】
また、請求項２によれば、前日一日の使用量と、前日と当日の現在時刻までの使用量とが一覧できる形態で表示されるため、当日の現在時刻までの使用状況と、記憶に新しい前日一日の使用状況と、前日の同時刻までの使用状況とを、これから使う予定の量を考慮に入れて比較検討することが容易となり、見える化による省エネ、省資源を促進できる。
【００１０】
また、請求項３によれば、使用量データの詳細画面は、集計期間単位が異なる複数の使用量データ画面で構成されているため、ダイジェスト画面よりも短期的なスパンもしくは長期的なスパンで使用状況を把握することができ、ユーザーが複数の視点から使用量抑制行動を計画することができ、見える化による省エネ、省資源を促進できる。
【図面の簡単な説明】
【００１１】
【図１】本発明の一実施形態の概略構成図
【図２】同一実施形態の画面遷移を示す図
【発明を実施するための形態】
【００１２】
次に、本発明の一実施形態の熱源機器としてのヒートポンプ貯湯式給湯機およびそのリモートコントローラを図面に基づいて説明する。
１は湯水を貯湯するステンレス製の貯湯タンク、２は貯湯タンク１底部に市水を給水する給水管、３は貯湯タンク１上部から出湯する出湯管、４は給水管２から分岐された給水バイパス管、５は出湯管３からの湯水と給水バイパス管４からの水とを給湯設定温度になるように混合する給湯混合弁、６は給湯混合弁５で混合された湯が流通する給湯管、
７は給湯管６からの湯を給湯する給湯栓、８は出湯管３からの湯水と給水バイパス管４からの水とをふろ設定温度になるように混合するふろ混合弁、９はふろ混合弁８で混合された湯が流通する湯はり管である。
【００１３】
１０は給湯管６途中に設けられ給湯温度を検出する給湯温度センサ、１１は給湯管６途中に設けられ給湯流量を検出する給湯流量センサ、１２は湯はり管９途中に設けられ湯はり温度を検出する湯はり温度センサ、１３は湯はり管９途中に設けられ湯はり流量を検出する湯はり流量センサ、１４は給水管２に設けられ市水の給水圧を一定の圧力に減圧する減圧弁、１５は貯湯タンク１内の過圧を逃がす過圧逃がし弁である。
【００１４】
１６は浴槽、１７は貯湯タンク１内の上部に設けられ貯湯タンク１内の湯の熱で浴槽水を加熱するためのふろ熱交換器、１８は浴槽１６とふろ熱交換器１７とを浴槽水が循環可能に接続するふろ循環回路、１９はふろ循環回路１８途中に設けられ浴槽水を循環させるふろ循環ポンプ、２０はふろ循環回路１８に接続された湯はり管９途中に設けられ湯はり管９を開閉する湯はり開閉弁、２１はふろ熱交換器１７をバイパスしてふろ循環回路１８を接続するふろバイパス管、２２はふろバイパス管２１とふろ循環回路１８の接続点に設けられ、浴槽水をふろ熱交換器１７側を循環させるか、ふろバイパス管２１側を循環させるかを切り換えるふろ三方弁、２３はふろ循環回路１８途中に設けられ浴槽１６からふろ熱交換器１７へ流れる浴槽水の温度を検出するふろ温度センサ、２４はふろ循環回路１８途中に設けられ浴槽１６内の水位を検出するふろ水位センサである。ここで、ふろ熱交換器２２はステンレス管を螺旋状に巻回した構成としている。
【００１５】
２５は貯湯タンク１下部の湯水を外部のヒートポンプ式加熱手段２９へ導出するヒーポン往き管、２６はヒートポンプ式加熱手段２９を通過した湯水を貯湯タンク１上部へ導入するヒーポン戻り管、２７は貯湯タンク１の側面の上下方向に複数設けられた貯湯温度センサ、２８はこれら構成部品を収容する貯湯タンクユニットである。
【００１６】
２９は貯湯タンク１の湯水を加熱するヒートポンプ式加熱手段で、冷媒を圧縮する圧縮機３０と、水側にヒーポン往き管２５とヒーポン戻り管２６とが接続され冷媒と水とを熱交換する冷媒水熱交換器３１と、冷媒の圧力を減圧する減圧器３２と、液冷媒を蒸発させる蒸発器３３と、蒸発器３３に熱源となる外気を供給する送風手段３４と、冷媒水熱交換器３１の水側にヒーポン往き管２５からの湯水を供給する加熱循環ポンプ３５と、冷媒水熱交換器３１へ流入する水の温度を検出する入水温度センサ３６、冷媒水熱交換器３１で加熱された湯の温度を検出する沸き上げ温度センサ３７とを備え、蒸発器３１で吸熱した冷媒を圧縮機２８で圧縮して冷媒水熱交換器２９を介して水を加熱するようにしている。このヒートポンプ式加熱手段２９には冷媒として二酸化炭素冷媒が用いられ、高圧側が超臨界状態となることにより水を９０℃の高温まで加熱することができるものである。
【００１７】
３８は台所近傍等に設けられるリモートコントローラで、給湯装置に関する各種の情報（給湯設定温度、ふろ設定温度、タンク残湯量、給湯機の作動状態、日時等）を表示するドットマトリクス液晶型の表示部３９と、給湯温度の設定とふろ温度の設定と運転モードの設定とを行う十字キー４０と、この十字キー４０で選択した項目を決定入力するための決定キーキー４１と、一つ前の画面へ戻る戻るキー４２と、ふろ自動運転を行わせるふろ自動キー４３と、追いだき運転を行わせる追いだきキー４４と、使用量データを表示させる使用量データ表示キー４５等の操作キーとを有した操作部と、給湯機の作動状態を表示部３９に表示させたり、操作部の操作に応じた情報を表示部３９に表示させるよう制御するリモコン制御部４６と、を備えている。
【００１８】
４７は、給湯温度センサ１０、給湯流量センサ１１、湯はり温度センサ１２、湯はり流量センサ１３、ふろ温度センサ２３、ふろ水位センサ２４、貯湯温度センサ２７の検出値が入力され、給湯混合弁５、ふろ混合弁８、ふろ循環ポンプ１９、湯はり開閉弁２０、ふろ三方弁２２の作動を制御すると共に、リモートコントローラ３８およびヒートポンプ式加熱手段２９とと通信可能に接続された貯湯側制御手段である。この貯湯側制御手段４７は、予め給湯機の作動を制御するためのプログラムが記憶されていると共に、演算、比較、記憶機能、カレンダー時計機能を有しているものである。
【００１９】
４８は、貯湯側制御手段４７に設けられ、給湯流量センサ１１や湯はり流量センサ１３、ふろ循環ポンプ１９の作動時間等から給湯量、使用熱量を一定温度の湯の使用量に換算して記憶する使用量記憶手段である。
【００２０】
４９は、入水温度センサ３６、沸き上げ温度センサ３７の検出値が入力され、、圧縮機３０、減圧器３２、送風手段３４、加熱循環ポンプ３５の作動を制御すると共に、貯湯側制御手段４７と通信可能に接続された加熱側制御手段である。この加熱側制御手段４７は、予めヒートポンプ式加熱手段２９の作動を制御するためのプログラムが記憶されているものである。
【００２１】
＜沸き上げ運転＞
電力料金単価の安価な所定時間帯（深夜時間帯）の開始時刻になると、貯湯側制御手段４７はそれまでの給湯負荷量に見合う湯量を沸き上げ開始するべく、加熱側制御手段４９に対し、給湯負荷量に見合う沸き上げ目標温度と沸き上げ開始の指示を送信し、加熱側制御手段４９は圧縮機３０と減圧器３２と送風手段３４と加熱循環ポンプ３５を駆動開始して、貯湯タンク１下部から取り出した湯水を冷媒水熱交換器３１で沸き上げ目標温度まで加熱して貯湯タンク１上部へ戻し、貯湯タンク１上部から沸き上げ設定温度の湯を積層状に貯湯し、貯湯側制御手段４７は最下部の貯湯温度センサ２８が所定の沸き上げ終了判定温度を検出するか、所定時間帯の終了時刻に到達すると、加熱側制御手段４９に沸き上げの停止を指示し、加熱側制御手段４９は圧縮機３０と減圧器３２と送風手段３４と加熱循環ポンプ３５を駆動停止して沸き上げ運転を終了する。
【００２２】
＜給湯＞
給湯栓７が開かれると、貯湯タンク１の底部に給水管２から市水が流入すると共に貯湯タンク１の頂部から出湯管３を介して高温の湯が出湯し、給湯混合弁５で給水バイパス管４からの水と混合されて給湯管６を通過する。そして、給湯流量センサ１１が最低作動水量以上を検出すると、貯湯側制御手段４７は、給湯温度センサ１０が検出する温度が給湯設定温度と一致するように給湯混合弁５の弁開度をフィードバック制御して、給湯設定温度の給湯を行う。そして、給湯栓７が閉じられる等によって、給湯流量センサ１１が最低作動水量未満を検出すると、貯湯側制御手段４７は、給湯混合弁５の弁開度のフィードバック制御を停止して給湯停止するようにしている。
【００２３】
このとき、貯湯側制御手段４７の使用量記憶手段４８は、給湯流量センサ１１で検出する給湯量を一定時間間隔毎の一定温度の湯の使用量に換算して時刻データと共に記憶する。
【００２４】
また、貯湯側制御手段４７の使用量記憶手段４８は、連続給湯量とその継続時間を監視して一定温度の湯の使用量に換算し、一日の内の最大の連続使用時の連続使用量とその継続時間とその発生時刻を記憶する。一日の内の最大の連続使用量が更新された場合は、それまでのデータを消去して、更新されたデータを記憶するようにしている。
【００２５】
＜沸き増し運転＞
次に、深夜時間帯以外の時間帯において、多量に給湯されるなどして貯湯側制御手段４７が貯湯温度センサ２７の検出温度に基づき貯湯タンク１内の貯湯量が少なくなったことを検出すると、貯湯側制御手段４７は、加熱側制御手段４９に対し、沸き上げ目標温度と沸き増し開始の指示を送信し、加熱側制御手段４９は圧縮機３０と減圧器３２と送風手段３４と加熱循環ポンプ３５を駆動開始して、貯湯タンク１下部から取り出した湯水を冷媒水熱交換器３１で沸き上げ目標温度まで加熱して貯湯タンク１上部へ戻し、それまで貯湯されていた湯の上部に沸き上げ目標温度の湯を積層状に貯湯し、貯湯側制御手段４７は沸き増しの開始から一定時間が経過すると、加熱側制御手段４９に沸き増しの停止を指示し、加熱側制御手段４９は圧縮機３０と減圧器３２と送風手段３４と加熱循環ポンプ３５を駆動停止して沸き増し運転を終了する。
【００２６】
＜ふろ自動運転＞
次に、ふろ自動運転について説明する。リモートコントローラ３８のふろ自動キー４３が操作されると、貯湯側制御手段４７は、湯はり開閉弁２０を開弁し、湯はり温度センサ１２が検出する温度がふろ設定温度と一致するようにふろ混合弁８の弁開度をフィードバック制御して、ふろ設定温度の湯はりを開始する。
【００２７】
そして、貯湯側制御手段４７は、湯はり流量センサ１３で検出するふろ流量の積算値がふろ設定湯量となると、湯はり開閉弁２０を閉弁して湯はりを停止し、ふろの保温運転を行う。
【００２８】
このとき、貯湯側制御手段４７の使用量記憶手段４８は、湯はり流量センサ１３で検出する湯はり量を一定時間間隔毎の一定温度の湯の使用量に換算して時刻データと共に記憶する。
【００２９】
ふろの保温運転では、一定時間毎にふろ三方弁２２をバイパス側にしたままでふろ循環ポンプ１９を駆動してふろ温度センサ２３で浴槽水の温度を確認し、ふろ設定温度より低くなっていることを検知すると、ふろ三方弁２２をふろ熱交換器１７側へ切り換えて、浴槽水をふろ熱交換器１７で加熱する。そして、ふろ温度センサ２３で浴槽水の温度がふろ設定温度より上昇したことを確認すると、ふろ三方弁２２をバイパス側に戻すと共にふろ循環ポンプ１９の駆動を停止する。
【００３０】
このとき、貯湯側制御手段４７の使用量記憶手段４８は、浴槽水をふろ熱交換器１７で加熱した時間を計測し、この時間と予め決めておいた熱量とを掛け、これを一定温度の湯の使用量に換算して時刻データと共に記憶する。
【００３１】
また、貯湯側制御手段４７は、湯はり停止時の浴槽１６内の水位をふろ水位センサ２４の検出値に基づいて記憶し、浴槽１６内の水位が記憶した水位から低下すると、元の水位になるまで湯はりするふろ補水運転を行う。
【００３２】
このとき、貯湯側制御手段４７の使用量記憶手段４８は、湯はり流量センサ１３で検出する湯はり量を一定時間間隔毎の一定温度の湯の使用量に換算して時刻データと共に記憶する。
【００３３】
そして、湯はりの開始から予め設定されたふろ自動保温時間が経過すると、ふろの保温運転およびふろ補水運転も停止する。
【００３４】
＜追いだき＞
次に、ふろ追いだき運転について説明する。リモートコントローラ３８の追いだきキー４４が操作がされると、貯湯側制御手段４７は、ふろ三方弁２２をバイパス側にしたままでふろ循環ポンプ１９を駆動してふろ温度センサ２３で浴槽水の温度を確認し、ふろ設定温度＋αより低くなっていることを検知すると、ふろ三方弁２２をふろ熱交換器１７側へ切り換えて、浴槽水をふろ熱交換器１７で加熱する。そして、ふろ温度センサ２３で浴槽水の温度がふろ設定温度＋αより上昇したことを確認すると、ふろ三方弁２２をバイパス側に戻すと共にふろ循環ポンプ１９の駆動を停止して、ふろ追いだき運転を終了する。
【００３５】
このとき、貯湯側制御手段４７の使用量記憶手段４８は、浴槽水をふろ熱交換器１７で加熱した時間を計測し、この時間と予め決めておいた熱量とを掛け、これを一定温度の湯の使用量に換算して時刻データと共に記憶する。
【００３６】
＜使用量データ表示＞
ここで、使用量記憶手段４８は、記憶している時刻毎の使用量のデータから、一時間単位の使用量推移データ、１週間の曜日毎の使用量推移データ、１ヶ月の使用量積算データを演算し、表示に必要な分のデータを記憶し、不要となったデータを消去して、使用量記憶手段４８の記憶容量を削減している。
【００３７】
そして、リモートコントローラ３８の使用量データ表示キー４５が操作されると、リモコン制御部４６は貯湯側制御手段４７に使用量データのダイジェスト表示要求を送信する。
【００３８】
貯湯側制御手段４７は、ダイジェスト表示要求を受けると、使用量記憶手段４８から当日の現在時刻までの積算使用量と、前日の同時刻までの積算使用量と、前日一日の積算使用量とを読み出してリモートコントローラ３８のリモコン制御部４６に転送し、リモコン制御部４６は、それまで表示していた給湯設定温度等に代えて、棒グラフによって使用量のダイジェストを表示するダイジェスト画面５０を表示部３９に表示する。
【００３９】
このダイジェスト画面５０は、当日の現在時刻までの積算使用量を示す白抜きの棒グラフ５１と、前日の同時刻までの積算使用量を示す塗りつぶしの棒グラフ５２とを一つの枠５３に囲って並べて表示し、別の枠５４内に前日一日の積算使用量を示す塗りつぶしの棒グラフ５５を表示する。
【００４０】
また、ダイジェスト画面５０には、使用量の詳細な表示を行わせる詳細表示指示手段としての詳細表示選択肢５６が表示され、ダイジェスト画面５０が表示される際に、それまで表示されていなかった詳細表示選択肢５６が表示され、詳細表示指示手段が有効に機能するようになる。
【００４１】
ここで、詳細表示選択肢５６が表示されると同時に、詳細表示選択肢５６の両隣に目標設定選択肢とアドバイス選択肢も表示され、十字キー４０の左右操作によっていずれかの選択肢を選択可能としているが、ここでは目標設定選択肢とアドバイス選択肢については本発明の要旨と関連が深くないためその説明を省略する。
【００４２】
そして、詳細表示選択肢５６が選択されている状態で決定キー４１が操作されると、リモコン制御部４６は貯湯側制御手段４７に使用量データの詳細表示要求を送信する。
【００４３】
貯湯側制御手段４７は、詳細表示要求を受けると、先ずは使用量記憶手段４８から当日の使用量の時間推移データと、当日の最大連続使用量とその時刻を読み出してリモートコントローラ３８のリモコン制御部４６に転送し、リモコン制御部４６は、集計期間を当日一日とした今日一日の使用量の詳細画面５７を表示すると共に、集計期間を別の期間（ここでは１回、昨日、今日、１週間、1ヶ月）に変更するための期間選択肢５８のうち今日の選択肢が強調された状態で表示する。
【００４４】
この今日一日の使用量の詳細画面５７は、各時刻の使用量を示す棒グラフ５９と、積算使用量の時間推移を示す折れ線グラフ６０とを横軸を時間、縦軸を使用量としたグラフ中に重ねて表示すると共に、当日の現在時刻までの積算使用量と、これまでの最大連続使用量とその時刻を数値で表示するものである。
【００４５】
ここで、十字キー４０の左が操作されると、リモコン制御部４６は前日使用量の詳細表示要求を貯湯側制御手段４７に送信し、貯湯側制御手段４７は使用量記憶手段４８から前日の使用量の時間推移データと、前日の最大連続使用量とその時刻を読み出してリモートコントローラ３８のリモコン制御部４６に転送し、リモコン制御部４６は、集計期間を前日一日とした昨日一日の使用量の詳細画面６１を表示すると共に、期間選択肢５６の今日の選択肢の強調が解除されて昨日の選択肢が強調された状態で表示する。
【００４６】
この前日一日の使用量の詳細画面６１は、各時刻の使用量を示す棒グラフ６１と、積算使用量の時間推移を示す折れ線グラフ６３とを横軸を時間、縦軸を使用量としたグラフ中に重ねて表示すると共に、前日の積算使用量と、前日の最大連続使用量とその時刻を数値で表示するものである。
【００４７】
そして、前日一日の使用量の詳細画面６１が表示されているときに、十字キー４０の左が操作されると、リモコン制御部４６は１回の使用量の詳細表示要求を貯湯側制御手段４７に送信し、貯湯側制御手段４７は使用量記憶手段４８から当日と前日の１回の最大連続使用量とその連続時間およびその発生時刻のデータを読み出してリモートコントローラ３８のリモコン制御部４６に転送し、リモコン制御部４６は、集計期間を１回とした使用量の詳細画面６４を表示すると共に、期間選択肢５６の昨日の選択肢の強調が解除されて１回の選択肢が強調された状態で表示する。
【００４８】
この１回の使用量の詳細画面６４は、当日と前日の１回の最大連続使用量とその連続時間およびその発生時刻を数値で表示するものである。
【００４９】
そして、前日一日の使用量の詳細画面６１が表示されているときに、十字キー４０の右が操作されると、リモコン制御部４６は１週間の使用量の詳細表示要求を貯湯側制御手段４７に送信し、貯湯側制御手段４７は使用量記憶手段４８から前日までの１週間と当日の積算使用量のデータを読み出してリモートコントローラ３８のリモコン制御部４６に転送し、リモコン制御部４６は、集計期間を１週間とした使用量の詳細画面６５を表示すると共に、期間選択肢５６の昨日の選択肢の強調が解除されて１週間の選択肢が強調された状態で表示する。
【００５０】
この１週間の使用量の詳細画面６５は、横軸に７日前から当日までの曜日、縦軸に積算使用量として当日から７日間遡った各日の積算使用量を棒グラフ６６で表示すると共に、過去７日間の平均使用量と、最大使用量を数値で表示するものである。
【００５１】
そして、１週間の使用量の詳細画面６５が表示されているときに、十字キー４０の右が操作されると、リモコン制御部４６は１ヶ月の使用量の詳細表示要求を貯湯側制御手段４７に送信し、貯湯側制御手段４７は使用量記憶手段４８から当月と先月と先々月の積算使用量のデータを読み出してリモートコントローラ３８のリモコン制御部４６に転送し、リモコン制御部４６は、集計期間を１ヶ月とした使用量の詳細画面６７を表示すると共に、期間選択肢５６の１週間の選択肢の強調が解除されて１ヶ月の選択肢が強調された状態で表示する。
【００５２】
この１ヶ月の使用量の詳細画面６７は、今月の当日までの積算使用量とその一日平均使用量、先月の積算使用量とその一日平均使用量、先々月の積算使用量とその一日平均使用量を数値で表示するものである。
【００５３】
このように、本発明によれば、最初に当日と前日の使用量データをシンプルに要約したダイジェストが表示されるので、使用量の状況が容易に確認できて、当日の使用量抑制を促すことができるものであると共に、詳細な使用量データが見たい場合は、詳細表示指示手段の操作を行うことで表示され、見える化による省エネ、省資源を促進できる。
【００５４】
また、前日一日の使用量と、前日と当日の現在時刻までの使用量とが一覧できる形態で表示されるため、当日の現在時刻までの使用状況と、記憶に新しい前日一日の使用状況と、前日の同時刻までの使用状況とを、これから使う予定の量を考慮に入れて比較検討することが容易となり、見える化による省エネ、省資源を促進できる。
【００５５】
また、使用量データの詳細画面は、集計期間単位が異なる複数の使用量データ画面で構成されているため、ダイジェスト画面よりも短期的なスパンもしくは長期的なスパンで使用状況を把握することができ、ユーザーが複数の視点から使用量抑制行動を計画することができ、見える化による省エネ、省資源を促進できる。
【００５６】
なお、本発明は上記の一実施形態に限定されるものではなく、発明の要旨を変更しない範囲で改変可能なものであり、熱源機器としてヒートポンプ貯湯式給湯機を例示して説明したがこれに限られず、例えばガス給湯機や、ヒートポンプ式や燃焼式の温水暖房装置、等の熱源機器であってもよい。
【００５７】
また、湯の使用量データを表示する構成で説明したが、これに限られず、燃料または電力のいずれかの使用量データであってもよく、これら燃料または電力の使用量を計測する構成は周知の技術を用いればよいものである。
【００５８】
また、使用量の各詳細画面は一例であって、具体的画面構成は、本発明の意図する範囲内において種々に設計変更してもよいものであり、また、操作部はタッチパネル式としてもよいものである。
【符号の説明】
【００５９】
３８  リモートコントローラ
４０  十字キー（操作キー）
４１  決定キー（詳細表示指示手段）
４５  使用量データ表示キー
５０  ダイジェスト画面
５６  詳細表示選択肢（詳細表示指示手段）
５７、６１、６４、６５、６７  詳細画面
【図１】
2014142149.tif 000003
【図２】
2014142149.tif 000004